(57)【要約】【課題】  デジタルカメラに記憶された画像データを所定の蓄積手段に効率よく転送する。【解決手段】  デジタルカメラ１００は、画像データを記憶する画像データ記憶部１１４と、画像データと、その画像データが所定の蓄積手段に転送済みか未転送かを示す情報とを対応付けて記憶する設定情報記憶部１１８と、接続可能な無線ＬＡＮのアクセスポイントを検出するアクセスポイント検出制御部と、アクセスポイント検出制御部からのアクセスポイントの検出通知に基づき、設定情報記憶部１１８を参照して、画像データ記憶部１１４に記憶された未転送の画像データを外部の画像データ蓄積部１５４に転送する転送制御部１０６とを含む【選択図】        図１
2006115024.tif 000002
【特許請求の範囲】
【請求項１】
無線通信機能を有し、画像データを転送可能なデジタルカメラであって、
画像データを記憶する画像データ記憶手段と、
画像データと、その画像データが所定の蓄積手段に転送済みか未転送かを示す情報とを対応付けて記憶する転送状態記憶手段と、
接続可能な無線ＬＡＮのアクセスポイントを検出する検出手段と、
前記検出手段からの前記アクセスポイントの検出通知に基づき、前記転送状態記憶手段を参照して、前記画像データ記憶手段に記憶された未転送の画像データを前記所定の蓄積手段に転送する転送制御手段と、
を含むことを特徴とするデジタルカメラ。
【請求項２】
請求項１に記載のデジタルカメラにおいて、
前記検出手段の機能のオン／オフを設定する設定受付手段をさらに含むことを実行することを特徴とするデジタルカメラ。
【請求項３】
請求項２に記載のデジタルカメラにおいて、
前記転送制御手段は、前記画像データ記憶手段に、未転送の画像データが記憶されているか否かを検出し、未転送の画像データが記憶されていない場合に、前記検出手段の機能をオフに設定することを特徴とするデジタルカメラ。
【請求項４】
請求項１乃至３いずれかに記載のデジタルカメラにおいて、
前記検出手段は、前記転送制御手段が画像データを転送している間、前記アクセスポイントを検出する処理を続行し、当該アクセスポイントが検出できなくなった場合、前記転送制御手段への転送不可通知を行い、
前記転送制御手段は、前記検出手段から前記転送不可通知を受けると、転送を終了することを特徴とするデジタルカメラ。
【請求項５】
請求項１乃至４いずれかに記載のデジタルカメラにおいて、
前記転送制御手段が転送を終了すると、転送された画像データについて、前記転送状態記憶手段に転送済みであることを示す情報を対応付けて記憶させる書込手段をさらに含むことを特徴とするデジタルカメラ。
【請求項６】
請求項１乃至５いずれかに記載のデジタルカメラにおいて、
画像データと、その画像データを前記所定の蓄積手段に転送した後に、当該画像データを消去可能か否かを示す情報とを対応付けて記憶する消去可否情報記憶手段と、
前記画像データ記憶手段から画像データを消去する消去手段と、
をさらに含み、
前記消去手段は、前記画像データ記憶手段に、転送済みであって、消去可能な画像データが記憶されているか否かを検出し、転送済みであって、消去可能な画像データを消去することを特徴とするデジタルカメラ。
【発明の詳細な説明】
【技術分野】
【０００１】
この発明は、デジタルカメラに関し、とくに無線通信機能を有するデジタルカメラに関する。
【背景技術】
【０００２】
デジタルカメラの解像度が高くなるに従い、デジタルカメラで撮影した画像データの容量も大きくなり、大容量の不揮発性メモリや記録メディア等が必要となってきている。しかし、大容量の不揮発性メモリや記録メディア等は単価も高く、また予備として複数の記録メディアを持ち運ぶと、携帯性が悪くなる。
【０００３】
特許文献１には、カード型記録媒体に記録されたデータを、街頭に設置された設置端末機や移動体通信端末機からインターネットに接続された自宅のパーソナルコンピュータの記録装置に保存する技術が開示されている。これにより、デジタルカメラ等のデータを自分のコンピュータに出先で手軽に保存することができる。
【特許文献１】特開２００２−１１２１５４号公報
【発明の開示】
【発明が解決しようとする課題】
【０００４】
しかし、特許文献１に記載の方法では、携帯電話機のような移動体通信端末機を使用して自宅のパーソナルコンピュータの記録装置に保存させるためには、デジタルカメラから記録媒体を抜き出し、それを移動体通信端末機のアダプタに挿入し、移動体通信端末機の操作キーを操作する等の処理を行う必要があり、手間がかかっていた。
【０００５】
本発明はこうした点に鑑みてなされたもので、その目的は、デジタルカメラに記憶された画像データを所定の蓄積手段に効率よく転送する技術の提供にある。
【課題を解決するための手段】
【０００６】
本発明によれば、無線通信機能を有し、画像データを転送可能なデジタルカメラであって、画像データを記憶する画像データ記憶手段と、画像データと、その画像データが所定の蓄積手段に転送済みか未転送かを示す情報とを対応付けて記憶する転送状態記憶手段と、接続可能な無線ＬＡＮのアクセスポイントを検出する検出手段と、前記検出手段からの前記アクセスポイントの検出通知に基づき、前記転送状態記憶手段を参照して、前記画像データ記憶手段に記憶された未転送の画像データを前記所定の蓄積手段に転送する転送制御手段と、を含むことを特徴とするデジタルカメラが提供される。
【０００７】
ここで、画像データ記憶手段と転送状態記憶手段とは、一体に構成することができ、画像データ自体にその画像データが転送済みか未転送かを示す情報とを対応付けて記憶することもできる。また、画像データの番号等識別情報と、転送済みか否かを示す情報とを対応付けて記憶することもできる。
【０００８】
このようにすれば、デジタルカメラの画像データ記憶手段の容量を気にすることなく、画像データを撮影することができる。ここで、デジタルカメラは、所定のアクセスポイントと通信するための識別情報を記憶する記憶手段を有することができ、検出手段は、たとえば、当該識別情報が一致するアクセスポイントや、アクセスが許可されたアクセスポイントのみ検出するようにすることができる。
【０００９】
本発明のデジタルカメラは、前記検出手段の機能のオン／オフを設定する設定受付手段をさらに含むことを実行することができる。
【００１０】
ここで、検出手段の機能がオフに設定されている場合は、デジタルカメラの電源もオフにするようにすることができる。また、検出手段の機能がオンに設定されている場合でも、検出手段は、常にアクセスポイントを検出するのではなく、一定期間毎に電源が入るようにし、一定期間毎にアクセスポイントの検出処理を行うようにすることもできる。また、検出手段には、デジタルカメラ本体とは別系統で電力を供給するようにし、検出手段が接続可能な無線ＬＡＮのアクセスポイントを検出した場合でも、検出手段の機能がオフに設定されている場合は、転送制御手段への検出通知を行わないようにすることもできる。
【００１１】
このようにすれば、必要に応じて検出手段の機能のオン／オフを設定することができるので、不要なときに画像データ転送処理が行われるようなことを防ぐことができ、デジタルカメラ１００の電力消費量を抑えることができる。
【００１２】
本発明のデジタルカメラにおいて、前記転送制御手段は、前記画像データ記憶手段に、未転送の画像データが記憶されているか否かを検出し、未転送の画像データが記憶されていない場合に、前記検出手段の機能をオフに設定することができる。
【００１３】
このようにすれば、転送対象の画像データがない場合には、画像データ転送処理が行われることがなく、デジタルカメラ１００の電力消費量を抑えることができる。
【００１４】
本発明のデジタルカメラにおいて、前記検出手段は、前記転送制御手段が画像データを転送している間、前記アクセスポイントを検出する処理を続行し、当該アクセスポイントが検出できなくなった場合、前記転送制御手段への転送不可通知を行い、前記転送制御手段は、前記検出手段から前記転送不可通知を受けると、転送を終了することができる。
【００１５】
これにより、たとえばデジタルカメラのユーザが移動中に画像データの転送が行われ、転送途中でアクセスポイントの範囲外に出てしまった場合に、転送を終了することができ、その時点で転送処理を終了することができるので、転送できた画像データを把握することができる。
【００１６】
本発明のデジタルカメラは、前記転送制御手段が転送を終了すると、転送された画像データについて、前記転送状態記憶手段に転送済みであることを示す情報を対応付けて記憶させる書込手段をさらに含むことができる。
【００１７】
このようにすれば、同じ画像データが再転送されることなく、効率よく転送処理を行うことができる。
【００１８】
本発明のデジタルカメラは、画像データと、その画像データを前記所定の蓄積手段に転送した後に、当該画像データを消去可能か否かを示す情報とを対応付けて記憶する消去可否情報記憶手段と、前記画像データ記憶手段から画像データを消去する消去手段と、をさらに含むことができ、前記消去手段は、前記画像データ記憶手段に、転送済みであって、消去可能な画像データが記憶されているか否かを検出し、転送済みであって、消去可能な画像データを消去することができる。
【００１９】
ここで、画像データ記憶手段と消去可否情報記憶手段とは、一体に構成することができ、画像データ自体にその画像データが消去可能か否かを示す情報を対応付けて記憶することもできる。また、画像データの番号等識別情報と、消去可能か否かを示す情報とを対応付けて記憶することもできる。
【００２０】
このようにすれば、画像データを適宜消去していけるので、画像データ記憶手段の空容量を保つことができる。
【００２１】
なお、以上の構成要素の任意の組合せ、本発明の表現を方法、装置、システム、記録媒体、コンピュータプログラムなどの間で変換したものもまた、本発明の態様として有効である。
【発明の効果】
【００２２】
本発明によれば、デジタルカメラに記憶された画像データを所定の蓄積手段に効率よく転送することができる。
【発明を実施するための最良の形態】
【００２３】
本実施の形態において、デジタルカメラは、無線通信機能を有し、無線ＬＡＮを介して他の端末とデータの送受信を行うことができる。本実施の形態におけるデジタルカメラによれば、ユーザがデジタルカメラに記憶された画像データを転送する転送先の端末のアドレスを予め設定しておくと、その端末に画像データを自動的に転送することができる。これにより、デジタルカメラの画像データの記憶容量を気にすることなく、画像データを撮影することができる。
【００２４】
図１は、本実施の形態におけるデジタルカメラ１００の構成を示すブロック図である。
デジタルカメラ１００は、撮影処理部１０２、データ書込・消去処理部１０４、転送制御部１０６、指示受付部１０８、アクセスポイント検出制御部１１０、送受信部１１２、画像データ記憶部１１４、インデックス生成部１１６、設定情報記憶部１１８、および通知部１２０を含む。
【００２５】
デジタルカメラ１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心にハードウエアとソフトウエアの任意の組合せによって実現される。そして、その実現方法、装置にはいろいろな変形例があることは、当業者には理解されるところである。実施の形態で説明する各図は、ハードウエア単位の構成ではなく、機能単位のブロックを示している。なお、図１において、本発明の本質に関わらない部分の構成については省略してある。
【００２６】
本実施の形態において、デジタルカメラ１００は、ネットワーク１５０を介してユーザ端末１５２と接続されている。ここで、ネットワーク１５０は、無線ＬＡＮである。デジタルカメラ１００の送受信部１１２は、無線ＬＡＮのアクセスポイント１６０を介してネットワーク１５０に接続する。なお、ここではユーザ端末１５２がネットワーク１５０に直接接続された構成を示すが、ユーザ端末１５２は、他の有線／無線のネットワーク等を介してネットワーク１５０に接続されてもよい。
【００２７】
デジタルカメラ１００において、撮影処理部１０２は、ＣＣＤ（charge coupled device）等の撮像素子によって被写体を撮影し、画像データを取得する。データ書込・消去処理部１０４は、撮影処理部１０２が取得した画像データを画像データ記憶部１１４に記憶する。
【００２８】
設定情報記憶部１１８は、各種設定情報を記憶する。設定情報記憶部１１８は、たとえば、画像データ記憶部１１４に記憶された画像データを転送する外部の端末のアドレスを記憶する。ここで、アドレスは、電子メールアドレスや所定のサーバのドメイン名等とすることができる。本実施の形態において、設定情報記憶部１１８は、転送先のアドレスとして、ユーザ端末１５２のユーザの電子メールアドレスを記憶する。また、本実施の形態において、設定情報記憶部１１８は、画像データと、その画像データが転送済みか未転送かを示す情報とを対応付けて記憶する転送状態記憶手段と、画像データと、その画像データが転送された後に、当該画像データを消去可能か否かを示す情報とを対応付けて記憶する消去可否情報記憶手段の機能も有する。
【００２９】
指示受付部１０８は、ユーザからの指示を受け付ける。たとえば、指示受付部１０８は、ユーザからの被写体の撮影指示を受け付ける。また、指示受付部１０８は、画像データ記憶部１１４に記憶された画像データの読み出し指示、消去指示、書込指示等や、設定情報記憶部１１８への設定情報の書込指示、消去指示等を受け付ける。データ書込・消去処理部１０４は、指示受付部１０８が受け付けたユーザの指示に基づき、画像データ記憶部１１４や設定情報記憶部１１８にデータを書き込んだり、消去したりする。
【００３０】
アクセスポイント検出制御部１１０は、デジタルカメラ１００が適正に接続可能な無線ＬＡＮのアクセスポイントを検出する。たとえば、設定情報記憶部１１８は、所定のアクセスポイントと通信するためのＥＳＳＩＤ（Extended Service Set Identifier）を記憶することができ、アクセスポイント検出制御部１１０は、設定情報記憶部１１８を参照して、検出したアクセスポイントのＥＳＳＩＤと設定情報記憶部１１８に記憶されたＥＳＳＩＤとが一致する場合にのみ、そのアクセスポイントが接続可能であると判断することができる。また、アクセスポイント検出制御部１１０は、設定情報記憶部１１８に設定をしておくことにより、無線ＬＡＮを無料で使えるフリースポットを検出することもできる。このようにすることにより、ユーザが知らない間に不正なアクセスを行うことを防ぐことができる。アクセスポイント検出制御部１１０は、適正に接続可能なアクセスポイントを検出すると、その旨を転送制御部１０６に通知する。
【００３１】
また、本実施の形態において、アクセスポイント検出制御部１１０は、アクセスポイント検出機能のオン／オフの設定を受け付けることができる。アクセスポイント検出制御部１１０は、アクセスポイント検出機能がオンとされている場合にのみ、アクセスポイントの検出を行い、転送制御部１０６への通知を行う。アクセスポイント検出機能のオン／オフの設定は、ユーザの指示により行うこともできるが、たとえば画像データ記憶部１１４に未転送の画像データが記憶されていない場合、転送制御部１０６は、アクセスポイント検出制御部１１０のアクセスポイント検出機能をオフとする制御を行うことができる。アクセスポイント検出制御部１１０は、アクセスポイント検出機能がオフとされている場合は、アクセスポイントを検出しても、転送制御部１０６へ通知しないようにすることができる。このようにすれば、転送すべき画像データがない場合に、画像データを転送すべきか否か等を判断する処理を行う必要がないため、デジタルカメラ１００の消費電力を低減することができる。
【００３２】
また、アクセスポイント検出制御部１１０は、無線ＬＡＮのアクセスポイントを検出した場合でも、所定レベル以上の電波状態があった場合にのみ、転送制御部１０６へ通知を行うようにすることもできる。これにより、画像データを高速で送信できる場合のみ画像転送処理を行うことができるので、デジタルカメラ１００の消費電力を抑えることができる。
【００３３】
転送制御部１０６は、アクセスポイント検出制御部１１０から接続可能な無線ＬＡＮのアクセスポイントを検出した旨の通知を受けた場合に、画像データ記憶部１１４に記憶された画像データを設定情報記憶部１１８に記憶された転送先のアドレスに基づき、外部の端末に転送する。本実施の形態において、転送制御部１０６は、画像データ記憶部１１４に記憶された画像データをユーザ端末１５２に転送する。ユーザ端末１５２は、デジタルカメラ１００から転送された画像データを画像データ蓄積部１５４に記憶する。
【００３４】
設定情報記憶部１１８には、画像データの番号と、その画像データが外部の端末に転送済か未転送かを示す情報と、その画像データを転送処理後に画像データ記憶部１１４から消去可能か否かを示す情報とが対応付けて記憶される。転送制御部１０６は、設定情報記憶部１１８を参照して、未転送の画像データをユーザ端末１５２に転送する。
【００３５】
また、データ書込・消去処理部１０４は、設定情報記憶部１１８を参照して、転送済みの画像データのうち、転送後に消去可能と設定された画像データを画像データ記憶部１１４から消去する。設定情報記憶部１１８には、たとえば初期設定として、転送済みの画像データをすべて消去するか、すべて消去しないか、を示す設定情報を記憶しておくことができる。ユーザは、各画像データを撮影時に、各画像データについて、初期設定と異ならせる場合には個別に設定情報を入力することができる。
【００３６】
インデックス生成部１１６は、転送制御部１０６がユーザ端末１５２に転送する画像データのインデックスを生成する。転送制御部１０６は、画像データとともに、インデックスを転送することができる。インデックスは、たとえば各画像データの撮影日時、管理番号、サムネイル画像等を含むことができる。また、インデックスは、ｈｔｍｌ形式のデータとすることができる。これにより、ユーザ端末１５２において、画像データの管理を容易に行うことができる。
【００３７】
通知部１２０は、たとえば表示部や音声出力部とすることができ、ユーザへの通知を行う。
【００３８】
図２は、設定情報記憶部１１８の内部構成の一例を示す図である。設定情報記憶部１１８は、データＮＯ欄と、消去可否欄と、転送状態欄とを含む。データＮＯ欄には、画像データの番号が記憶される。ここで、設定情報記憶部１１８には、画像データ記憶部１１４に記憶されている画像データに関する情報が記憶される。消去可否欄には、その画像データを転送した後に、画像データ記憶部１１４から消去可能か否かに関する情報が記憶される。転送状態欄には、その画像データが転送済か未転送かを示す情報が記憶される。
【００３９】
図２（ａ）は、データＮＯ「００１」、「００６」、「０１４」、「０１５」、「０１６」の画像データの情報が記憶された状態を示す。ここで、データＮＯ「００１」および「００６」の画像データは、既に他の端末に転送済となっているが、消去不可となっており、転送後でも画像データ記憶部１１４に記憶されている。
【００４０】
図２（ａ）に示した状態で、転送処理が行われると、未転送だったデータＮＯ「０１４」、「０１５」、および「０１６」の画像データが転送される。データ書込・消去処理部１０４は、転送制御部１０６から転送した画像データに関する情報を受け取り、設定情報記憶部１１８の対応する画像データの転送状態を書き換える。図２（ｂ）は、書き換え後の状態を示す。ここで、データＮＯ「０１４」、「０１５」、および「０１６」に対応する転送状態が「済」となっている。
【００４１】
つづいて、データ書込・消去処理部１０４は、設定情報記憶部１１８を参照して、転送済の画像データのうち、消去可能となっている画像データを画像データ記憶部１１４から消去する。次いで、データ書込・消去処理部１０４は、設定情報記憶部１１８の対応する画像データの情報を消去する。図２（ｃ）は、消去後の状態を示す図である。データＮＯ「０１４」および「０１５」の画像データは画像データ記憶部１１４から消去されたため、設定情報記憶部１１８からも消去されている。
【００４２】
図３は、本実施の形態におけるデジタルカメラ１００における画像データ転送の処理手順を示すフローチャートである。
アクセスポイント検出制御部１１０は、接続可能な無線ＬＡＮのアクセスポイントを検出すると（Ｓ１００のＹＥＳ）、設定情報記憶部１１８を参照して、アクセスポイント検出機能の設定がオンとなっているか否かを判断する（Ｓ１０２）。アクセスポイント検出機能の設定がオンとなっている場合（Ｓ１０２のＹＥＳ）、アクセスポイント検出制御部１１０は、転送制御部１０６への通知を行い、転送制御部１０６は、以下の転送制御処理を開始する。
【００４３】
まず、転送制御部１０６は、設定情報記憶部１１８を参照して、画像データ記憶部１１４に未転送画像データがあるか否かを判断する（Ｓ１０４）。画像データ記憶部１１４に未転送画像データがある場合（Ｓ１０４のＹＥＳ）、転送制御部１０６は、未転送画像データの転送を行うか否かを判断する（Ｓ１０６）。転送を行うか否かは、たとえばユーザへの通知を行い、ユーザの指示に基づき決定することができる。また、転送制御部１０６は、画像データ記憶部１１４に記憶された未転送画像データの数（容量）に基づき、転送を行うか否かを判断することができる。どの程度の数の未転送画像データがある場合に転送を行うかに関する情報は、予め設定情報記憶部１１８に記憶しておくことができる。この場合、転送制御部１０６は、設定情報記憶部１１８を参照して、画像データを転送するか否かを判断する。
【００４４】
転送を行うと判断した場合（Ｓ１０６のＹＥＳ）、転送制御部１０６は、画像データ記憶部１１４から未転送画像データを読み出し、設定情報記憶部１１８に設定された所定の転送先に転送する（Ｓ１０８）。このとき、インデックス生成部１１６は、転送される画像データのインデックスを作成することができ、転送制御部１０６は、画像データとともに、インデックスを生成することもできる。転送制御部１０６が未転送画像データの転送を行っている間（Ｓ１１０のＮＯ）、アクセスポイント検出制御部１１０は、アクセスポイントが検出されているか否かを監視する（Ｓ１２８）。
【００４５】
転送制御部１０６が未転送画像データの転送を終了すると（Ｓ１１０のＹＥＳ）、転送制御部１０６は、データ書込・消去処理部１０４に通知を行い、データ書込・消去処理部１０４は、設定情報記憶部１１８の対応する画像データの番号に対応付けて「転送済」を示す情報を記録する（Ｓ１１２）。ステップＳ１２８において、転送途中でアクセスポイントが検出されなくなった場合（Ｓ１２８のＮＯ）、転送処理を終了してステップＳ１１２に進み、同様の処理を行う。
【００４６】
つづいて、データ書込・消去処理部１０４は、転送制御部１０６の通知に基づき、設定情報記憶部１１８を参照して、画像データ記憶部１１４に消去可能な画像データがあるか否かを判断する（Ｓ１１４）。消去可能な画像データがある場合（Ｓ１１４のＹＥＳ）、データ書込・消去処理部１０４は、画像データ記憶部１１４からその画像データを消去する（Ｓ１１６）。ステップＳ１１４で消去可能な画像データがない場合（Ｓ１１４のＮＯ）、ステップＳ１１６の消去処理は省略して、次のステップに進む。つづいて、転送制御部１０６は、設定情報記憶部１１８を参照して、画像データ記憶部１１４に未転送画像データがあるか否かを判断する（Ｓ１１８）。
【００４７】
未転送画像データがない場合（Ｓ１１８のＮＯ）、転送制御部１０６は、画像データ記憶部１１４の容量が一定以上か否かを判断する（Ｓ１２０）。画像データ記憶部１１４の容量が一定以上の場合（Ｓ１２０のＹＥＳ）、転送制御部１０６の指示に基づき、通知部１２０は、容量が一定以上であることをユーザに通知する（Ｓ１２２）。通知部１２０は、たとえば「所定容量以上の画像データが記録されています。消去処理を行いますか？」等の表示を行い、ユーザに「はい」または「いいえ」を選択させることができる。
【００４８】
つづいて、ユーザへの通知に対して、ユーザからの指示を受け付けた場合には（Ｓ１２４のＹＥＳ）、受け付けた指示に基づき、処理を実行する。処理とは、たとえば転送済み画像データの消去等である。一方、たとえば、ユーザへの通知に対して一定時間以上ユーザからの指示の受け付けがない場合は（Ｓ１２４のＮＯ）、アクセスポイント検出機能の設定をオフとして（Ｓ１２６）、処理を終了する。ステップＳ１０４において、画像データ記憶部１１４に未転送画像データがない場合（Ｓ１０４のＮＯ）、およびステップＳ１２０において、画像データ記憶部１１４の容量が一定以上でない場合（１２０のＮＯ）もステップＳ１２６に進み、アクセスポイント検出機能の設定をオフとして（Ｓ１２６）、処理を終了する。
【００４９】
ステップＳ１０２において、アクセスポイント検出機能の設定がオンとなっていない場合（Ｓ１０２のＮＯ）、ステップＳ１０６において、転送を行わないと判断した場合（Ｓ１０６のＮＯ）、またはステップＳ１１８において、未転送画像データがある場合（Ｓ１１８のＹＥＳ）、処理を終了する。
【００５０】
以上の処理の後、アクセスポイント検出制御部１１０が接続可能なアクセスポイントを検出すると（Ｓ１００のＹＥＳ）、同様の処理が繰り返される。また、ステップＳ１２６でアクセスポイント検出機能の設定がオフとされた場合でも、撮影処理部１０２により新たな画像データを取得する処理が行われた場合、アクセスポイント検出機能の設定をオンとすることができる。この処理は、ユーザの指示に基づき行うこともでき、自動的に行うようにすることもできる。
【００５１】
以上のように、本実施の形態におけるデジタルカメラ１００によれば、画像データ記憶部１１４に記憶された画像データをたとえばユーザ端末１５２の画像データ蓄積部１５４等の外部装置に転送し、画像データ記憶部１１４から適宜画像データを消去することができるので、画像データ記憶部１１４の容量を気にすることなく、画像データを撮影することができる。
【００５２】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００５３】
なお、画像データが外部の端末に転送済か未転送かを示す情報および画像データを転送処理後にその画像データを画像データ記憶部１１４から消去可能か否かを示す情報は、画像データ記憶部１１４の画像データに直接対応付けて記憶することもできる。この場合、転送制御部１０６は、画像データ記憶部１１４を参照して、転送する画像データの選択や消去する画像データの選択を行うことができる。
【００５４】
また、以上の実施の形態において、デジタルカメラ１００がインデックス生成部１１６を有するとしたが、インデックス生成部はユーザ端末１５２に設けることもでき、ユーザ端末１５２側で、デジタルカメラ１００から送信された画像データのインデックスを生成することもできる。
【図面の簡単な説明】
【００５５】
【図１】実施の形態におけるデジタルカメラを含むネットワーク構成を示すブロック図である。
【図２】実施の形態における設定情報記憶部の内部構成を示す図である。
【図３】実施の形態におけるデジタルカメラにおける画像データ転送の処理手順の一例を示すフローチャートである。
【符号の説明】
【００５６】
１００  デジタルカメラ
１０２  撮影処理部
１０４  データ書込・消去処理部
１０６  転送制御部
１０８  指示受付部
１１０  アクセスポイント検出制御部
１１２  送受信部
１１４  画像データ記憶部
１１６  インデックス生成部
１１８  設定情報記憶部
１２０  通知部
１５０  ネットワーク
１５２  ユーザ端末
１５４  画像データ蓄積部
１５０  ネットワーク
１６０  アクセスポイント
【図１】
2006115024.tif 000003
【図２】
2006115024.tif 000004
【図３】
2006115024.tif 000005